(57)【要約】【課題】熱変形が少なく安全で使い易い受け皿を有する電気加熱調理器を提供する。【解決手段】前面に開口５０ａを有する加熱室５１を形成する内筐体５０と、前記開口５０ａを開閉する扉５６と、前記内筐体５０内を加熱する上ヒーター５２、下ヒーター５３と、調理物を戴せると共に前記上・下ヒーター５２、５３で加熱される皿状の受け皿５５を備え、前記受け皿５５は、略長方形状に絞られて形成されると共に底面中央部にトラック円状に絞った凸部５７を有するもので、絞り時に底面の全面が引っ張り応力を受けながら成型されるので、調理時に調理物を戴置して加熱しても受け皿５５の加熱による歪みが少なく、安全で使い易い電気加熱調理器を提供することができる。【選択図】図１
2005337512.tif 000002
【特許請求の範囲】
【請求項１】
前面に開口を有する加熱室を形成する内筐体と、前記開口を開閉する扉と、前記内筐体内を加熱するヒーターと、調理物を戴せると共に前記ヒーターで加熱される皿状の受け皿を備え、前記受け皿は、略長方形状に絞って形成されると共に底面中央部にトラック円状に絞った凸部を有する電気加熱調理器。
【請求項２】
前面に開口を有する加熱室を形成する内筐体と、前記開口を開閉する扉と、前記内筐体内を加熱するヒーターと、調理物を戴せると共に前記ヒーターで加熱される皿状の受け皿を備え、前記受け皿は、略長方形状に絞って形成されると共に底面に断面略コの字状のトラック円状に絞った凸部を有する電気加熱調理器。
【請求項３】
凸部と４コーナー部との間に多数の小突起を設けた請求項１又は２記載の電気加熱調理器。
【請求項４】
凸部と４コーナー部の間に溝部を介して略三角状の突起部を設けた請求項１又は２記載の電気加熱調理器。
【発明の詳細な説明】
【技術分野】
【０００１】
本発明は一般家庭用で使用されるオーブントースター等の電気加熱調理器に関するもので、特に調理物を載せる受け皿に関するものである。
【背景技術】
【０００２】
従来のこの種の電気加熱調理器について、図１２を用いて説明する。
【０００３】
図において、電気加熱調理器は、皿状に絞って形成された受皿１２と、ロースターケース１１底面上に収納され、受皿１２を水平に保持する支持体１４と、ロースター扉１３と連結され支持体１４後方に回動自在に連結された連結体１６と、ロースターケース１１の内側面に設けられ支持体１４の後方上面と当接する凸部１５とを備えている。１８は、受皿１２の上方部に設けられたフランジ部で、カール状に成型され強度を強くするためのものである（例えば、特許文献１参照）。
【特許文献１】特開２００１−７４２５２号公報（第６頁、図１）
【発明の開示】
【発明が解決しようとする課題】
【０００４】
しかしながら、前記従来の構成では、受皿を略長方形状で皿状に絞っているので、絞り時に辺部は引っ張り応力を受けながら伸ばされているのに対し、コーナー部は圧縮応力を受けながら成型されているので、底面部において歪みが生じている。その為に受皿に調理物を載せて加熱した時に、調理物が戴置されている部分の加熱が遅れ、調理物が載っていない部分の加熱が早く、その為に熱による歪みが生じた時、対角コーナーを結ぶ対角線上は伸びが少なく、辺部は伸びが大きくなるので、受皿が反ってしまうという課題を有していた。
【０００５】
本発明は、前記従来の課題を解決するもので、歪みの少ない受け皿を提供し、調理時安全で使い易い電気加熱調理器を提供することを目的とするものである。
【課題を解決するための手段】
【０００６】
前記従来の課題を解決するために、本発明の電気加熱調理器は、前面に開口を有する加熱室を形成する内筐体と、前記開口を開閉する扉と、前記内筐体内を加熱するヒーターと、調理物を戴せると共に前記ヒーターで加熱される皿状の受け皿を備え、前記受け皿は、略長方形状に絞って形成されると共に底面中央部にトラック円状に絞った凸部を有するもので、絞り時に底面の全面が引っ張り応力を受けながら成型されるので、調理時に調理物を戴置して加熱しても受け皿の加熱による歪みが少なく、安全で使い易い電気加熱調理器を提供することができる。
【０００７】
また、本発明の電気加熱調理器は、前面に開口を有する加熱室を形成する内筐体と、前記開口を開閉する扉と、前記内筐体内を加熱するヒーターと、調理物を戴せると共に前記ヒーターで加熱される皿状の受け皿を備え、前記受け皿は、略長方形状に絞って形成されると共に底面に断面略コの字状のトラック円状に絞った凸部を有するもので、絞り時に断面コの字状のトラック円状で底面を絞っているので、全面が引っ張り応力を受け、しかも断面が略コの字状の為に確実に引っ張られて成型されるので、調理時に調理物を戴置して加熱しても受け皿の加熱による歪みが少なく、安全で使い易い電気加熱調理器を提供することができる。
【発明の効果】
【０００８】
本発明の電気加熱調理器は、加熱時の反りの少ない安全で使い易い受け皿を有する電気加熱調理器を提供するることができる。
【発明を実施するための最良の形態】
【０００９】
第１の発明は、前面に開口を有する加熱室を形成する内筐体と、前記開口を開閉する扉と、前記内筐体内を加熱するヒーターと、調理物を戴せると共に前記ヒーターで加熱される皿状の受け皿を備え、前記受け皿は、略長方形状に絞って形成されると共に底面中央部にトラック円状に絞った凸部を有するもので、絞り時に底面の全面が引っ張り応力を受けながら成型されるので、調理時に調理物を戴置して加熱しても受け皿の加熱による歪みが少なく、安全で使い易い電気加熱調理器を提供することができる。
【００１０】
第２の発明は、前面に開口を有する加熱室を形成する内筐体と、前記開口を開閉する扉と、前記内筐体内を加熱するヒーターと、調理物を戴せると共に前記ヒーターで加熱される皿状の受け皿を備え、前記受け皿は、略長方形状に絞って形成されると共に底面に断面略コの字状のトラック円状に絞った凸部を有するもので、絞り時に断面コの字状のトラック円状で底面を絞っているので、全面が引っ張り応力を受け、しかも断面が略コの字状の為に確実に引っ張られて成型されるので、調理時に調理物を戴置して加熱しても受け皿の加熱による歪みが少なく、安全で使い易い電気加熱調理器を提供することができる。
【００１１】
第３の発明は、特に、第１又は第２の発明の凸部と４コーナー部との間に多数の小突起を設けたもので、絞り時にコーナー部は小突起の部分伸ばされるので、圧縮応力が緩和されて底面全面のひずみが更に少なくなり加熱しても受け皿の加熱による歪みが少なく、安全で使い易い電気加熱調理器を提供することができる。
【００１２】
第４の発明は、特に、第１又は第２の発明の凸部と４コーナー部の間に溝部を介して略三角状の突起部を設けたもので、コーナー部が三角状の突起部で伸ばされるので、圧縮応力が緩和されて底面全面のひずみが更に少なくなり加熱しても受け皿の加熱による歪みが少なく、安全で使い易い電気加熱調理器を提供することができる。
【００１３】
以下、本発明の実施の形態について、図面を参照しながら説明する。なお、この実施の形態によって本発明が限定されるものではない。
【００１４】
（実施の形態１）
本発明の第１の実施の形態における電気加熱調理器について、図１〜４を用いて説明する。図１は、同電気加熱調理器の断面図である。
【００１５】
図１において、５０は前面に開口５０ａを有する加熱室５１を形成する内筐体で、内筐体５０内の上下に上ヒーター５２、下ヒーター５３とが配され、上・下ヒーター５２、５３間には焼き網５４を配している。５５は調理物をいれる受け皿で、焼き網５４の上に戴置されている。５６は扉で、前記開口５０ａを開閉自在に設けている。
【００１６】
図２は、同電気加熱調理器の受け皿５５の上面図、図３は、同受け皿５５の断面図、図４は、同受け皿５５の要部断面図（図２のＡ−Ａ断面）である。
【００１７】
受け皿５５は、図２〜４に示すように外形が略長方形の形状で、断面を皿状に絞るとともに底面にはトラック円状の凸部５７を形成している。またこのトラック円状の凸部５７と４コーナー部の間には多数の小突起５８が設けられている。
【００１８】
以上のように構成された電気加熱調理器について、以下その動作、作用を説明する。
【００１９】
まず、受け皿５５に調理物を戴置して、焼き網５４の上に置き、上ヒーター５２、下ヒーター５３に通電すると、受け皿５５の調理物が戴置されている部分は加熱が遅れ、調理物が載っていない部分は加熱が早くなりながら温度上昇する。しかし受け皿５５の底面中央部にはトラック円状に絞った凸部５７を設けて絞っているので、絞り時は全面が引っ張り応力を受けながら絞られ加熱しても歪みが発生しにくい。
【００２０】
従って加熱時に調理物によって加熱ムラが生じても、受け皿５５に歪みが発生しにくい為、反りの少ない受け皿５５となる。しかもトラック円状の凸部５７と４コーナー部の間には多数の小突起５８を設けているので、４コーナー部の圧縮応力は更に低減されるので、歪みが更に低減できさらに反りの少ない受け皿５５とすることができる。
【００２１】
以上のように、本実施の形態によれば、受け皿５７を略長方形状に絞り、底面中央部にはトラック円状に絞った凸部５７設け、さらにトラック円状の凸部５７と４コーナー部の間に多数の小突起５８を設けたことにより、加熱時反りの少ない安全で使い易い受け皿を有する電気加熱調理器を提供することができる。
【００２２】
（実施の形態２）
図５は、本発明の第２の実施の形態における電気加熱調理器の受け皿の上面図、図６は、同受け皿の要部断面図（図５のＢ−Ｂ断面）である。なお、上記第１の実施の形態と同一部分については、同一符号を付してその説明を省略する。
【００２３】
上記第１の実施の形態では、トラック円状の凸部５７と４コーナー部の間に多数の小突起５８を設けたが、本実施の形態は、図５、６に示すように、凸部５７と４コーナー部の間に溝部５９を介して略三角状の突起部６０を設けたものである。
【００２４】
以上のように構成された電気加熱調理器について、以下その動作、作用を説明する。
【００２５】
加熱時の凸部５７の作用は、上記第１の実施の形態と同一なので説明を省略する。そして凸部５７と４コーナー部の間には溝部５９を介して略三角状の突起部６０を設けているので、４コーナー部の圧縮応力は更に低減されるので、歪みが更に低減でき反りの少ない受け皿５５とすることができる。
【００２６】
以上のように、本実施の形態によれば、受け皿５７を略長方形状に絞り、底面中央部にトラック円状に絞った凸部５７を設け、凸部５７と４コーナー部の間に溝部５９を介して略三角状の突起部６０を設けたことにより、加熱時反りの少ない安全で使い易い受け皿を有する電気加熱調理器とすることができる。
【００２７】
（実施の形態３）
図７は、本発明の第３の実施の形態における電気加熱調理器の受け皿の上面図、図８は、同受け皿の断面図、図９は、同受け皿の要部断面図（図７のＣ−Ｃ断面）である。なお、上記第１の実施の形態と同一部分については、同一符号を付してその説明を省略する。
【００２８】
本実施の形態は、受け皿５５の断面を皿状に絞るとともに底面に断面略コの字状でトラック円状の凸部Ｂ６１を形成し、この凸部Ｂ６１と４コーナー部の間に多数の小突起Ｂ６２を設けたものである。
【００２９】
以上のように構成された電気加熱調理器について、以下その動作、作用を説明する。
【００３０】
まず、受け皿５５に調理物を戴置して、焼き網５４の上に置き加熱通電すると、調理物が戴置されている部分は加熱が遅れ、調理物が載っていない部分は加熱が早くなりながら温度上昇する。
【００３１】
しかし受け皿５５の底面に断面略コの字状でトラック円状の凸部Ｂ６１を形成して絞っているので、絞り時は全面が引っ張り応力を受けながら絞られ加熱しても歪みが発生しにくい。従って加熱時に調理物によって加熱ムラが生じても、受け皿５５は歪みが発生しにくい為、反りの少ない受け皿５５とすることができる。しかもトラック円状の凸部Ｂ６１と４コーナー部の間には多数の小突起Ｂ６２を設けているので、４コーナー部の圧縮応力は更に低減されるので、歪みが更に低減でき反りの少ない受け皿５５とすることができる。
【００３２】
以上のように、本実施の形態によれば、受け皿５７を略長方形状に絞り、底面には断面略コの字状でトラック円状の凸部Ｂ６１を設け、凸部Ｂ６１と４コーナー部の間に多数の小突起Ｂ６２を設けたことにより、加熱時反りの少ない安全で使い易い受け皿を有する電気加熱調理器とすることができる。
【００３３】
（実施の形態４）
図１０は、本発明の第４の実施の形態における電気加熱調理器の受け皿の上面図、図１１は、同受け皿の要部断面図（図１０のＤ−Ｄ断面）である。なお、上記実施の形態と同一部分については、同一符号を付してその説明を省略する。
【００３４】
本実施の形態は、略長方形の受け皿５５の断面を皿状に絞るとともに、底面に断面略コの字状でトラック円状の凸部Ｂ６１を形成し、この凸部Ｂ６１と４コーナー部の間に溝部Ｂ６３を介して略三角状の突起部Ｂ６４を設けたものである。
【００３５】
以上のように構成された電気加熱調理器について、以下その動作、作用を説明する。
【００３６】
まず、受け皿５５に調理物を戴置して、焼き網５４の上に置き加熱通電すると、調理物が戴置されている部分は加熱が遅れ、調理物が載っていない部分は加熱が早くなりながら温度上昇する。しかし受け皿５５の底面には断面略コの字状でトラック円状の凸部Ｂ６１を形成して絞っているので、絞り時は全面が引っ張り応力を受けながら絞られ加熱しても歪みが発生しにくい。
【００３７】
従って加熱時に調理物によって加熱ムラが生じても、受け皿５５は歪みが発生しにくい為、反りのない受け皿５５とすることができる。しかもトラック円状の凸部Ｂ６１と４コーナー部の間には、溝部Ｂ６３を介して略三角状の突起部Ｂ６４を設けているので、４コーナー部の圧縮応力は更に低減され、歪みが更に低減でき反りの少ない受け皿５５とすることができる。
【００３８】
以上のように、本実施の形態においても、受け皿５５を略長方形状に絞り、底面に断面略コの字状でトラック円状の凸部Ｂ６１を設け、その凸部Ｂ６１と４コーナー部の間に溝部Ｂ６３を介して略三角状の突起部Ｂ６４を設けたことにより、加熱時反りの少ない安全で使い易い受け皿を有する電気加熱調理器とすることができる。
【産業上の利用可能性】
【００３９】
以上のように、本発明にかかる電気加熱調理器の受け皿は、調理物を戴置して加熱調理中に歪みが発生しにくく、反りのない安全で使いやすいもので、加熱時に熱を受ける受け皿を用いるオーブンやロースター等や、乾燥機器等にも広く適用できる。
【図面の簡単な説明】
【００４０】
【図１】本発明の実施の形態１における電気加熱調理器の縦面図
【図２】同電気加熱調理器の受け皿の上面図
【図３】同受け皿の断面図
【図４】図２のＡ−Ａ断面図
【図５】本発明の実施の形態２における電気加熱調理器の受け皿の上面図
【図６】図５のＢ−Ｂ断面図
【図７】本発明の実施の形態３における電気加熱調理器の受け皿の上面図
【図８】同受け皿の断面図
【図９】図７のＣ−Ｃ断面図
【図１０】本発明の実施の形態４における電気加熱調理器の受け皿の上面図
【図１１】図１０のＤ−Ｄ断面図
【図１２】従来の電気加熱調理器の縦面図
【符号の説明】
【００４１】
５０  内筐体
５０ａ  開口
５１  加熱室
５２  上ヒーター
５３  下ヒーター
５４  焼き網
５５  受け皿
５６  扉
５７  凸部
５８  小突起
５９  溝部
６０  突起部
６１  凸部Ｂ
６２  小突起Ｂ
６３  溝部Ｂ
６４  突起部Ｂ
【図１】
2005337512.tif 000003
【図２】
2005337512.tif 000004
【図３】
2005337512.tif 000005
【図４】
2005337512.tif 000006
【図５】
2005337512.tif 000007
【図６】
2005337512.tif 000008
【図７】
2005337512.tif 000009
【図８】
2005337512.tif 000010
【図９】
2005337512.tif 000011
【図１０】
2005337512.tif 000012
【図１１】
2005337512.tif 000013
【図１２】
2005337512.tif 000014